(57)【要約】      （修正有）【課題】電子装置の充電或いは機能拡張に応用し、携帯に便利である等の効果をも備える電子装置の設置台を提供する。【解決手段】設置台２には、フレキシブル材質で製造する本体２１を設置し、本体２１は相対する第一、第二結合面２１１，２１２を備える。本体２１の第一結合面２１１には、少なくとも１個の吸着パーツ２２を形成し、第二結合面２１２周囲には、少なくとも２個のカバー体２３を備える。カバー体２３により、パワーバンクを第二結合面２１２に組み立てて定位し、吸着パーツ２２により、被充電物を第一結合面２１１に結合して固定する。パワーバンクの電力を被充電物に出力して使用に供し、携帯する体積を減らし、しかも実用性を拡大することができる。   【選択図】図２
0003190865.tif 000002
【実用新案登録請求の範囲】
【請求項１】
電子装置の設置台には、フレキシブル材質で製造する本体を設置し、
前記本体は、相対する第一、第二結合面を備え、前記本体の第一結合面には、少なくとも１個の吸着パーツを形成し、前記第二結合面周囲には、少なくとも２個のカバー体を備えることを特徴とする電子装置の設置台。
【請求項２】
前記本体は、相対する２個の長辺、及び相対する２個の短辺を備え、
前記各長辺間は、前記短辺により相互に連接し、
取り囲んで前記第一、第二結合面を形成する各長辺には共に、少なくとも１個のカバー体を備え、前記各短辺には共に、少なくとも１個のカバー体を備えることを特徴とする請求項１に記載の電子装置の設置台。
【請求項３】
前記各カバー体は、前記第二結合面において、前記第一結合面から離れて連接部を延伸し、
前記連接部から、前記第二結合面内へと向い、唇部を延伸することを特徴とする請求項１或いは２に記載の電子装置の設置台。
【請求項４】
前記吸着パーツと前記本体とは、一体に成型することを特徴とする請求項３に記載の電子装置の設置台。
【請求項５】
前記本体と前記吸着パーツとは、相互に組立てて定位することを特徴とする請求項３に記載の電子装置の設置台。
【請求項６】
前記本体には、固定孔を設置し、
前記固定孔は、前記本体の第一、第二結合面を貫通し、
前記吸着パーツには、嵌合部、及び前記嵌合部片側から延伸する吸着部を設置し、前記吸着パーツは、前記嵌合部より、前記固定孔内に通して設置し、前記吸着部は、前記本体の第一結合面外に露出することを特徴とする請求項５に記載の電子装置の設置台。
【請求項７】
前記嵌合部は、前記吸着部から離れた一端に、係合固定部を形成し、
前記係合固定部は、前記固定孔の孔径より大きく、前記固定孔外に係合して固定されることを特徴とする請求項６に記載の電子装置の設置台。
【請求項８】
前記本体には、固定柱を設置し、
前記固定柱は、前記第一結合面に突出し、
前記吸着パーツには、嵌合部、及び前記嵌合部片側から延伸する吸着部を設置し、前記吸着パーツは、前記嵌合部により前記固定柱上に嵌合し、前記吸着部は、前記本体の第一結合面外に露出することを特徴とする請求項５に記載の電子装置の設置台。
【請求項９】
電子装置は、少なくとも設置台、パワーバンクを備え、
前記設置台には、フレキシブル材質で製造する本体を設置し、前記本体は、相対する第一、第二結合面を備え、前記本体の第一結合面には、少なくとも１個の吸着パーツを形成し、前記第二結合面周囲には、少なくとも２個のカバー体を備え、
前記パワーバンクは、前記第二結合面に組み立てて定位し、前記パワーバンク周囲には、前記カバー体を組立てて定位する係合槽を設置し、しかも前記パワーバンクは、入力ポート及び少なくとも１個の出力ポートを備え、こうして前記パワーバンクの電力を、少なくとも１個の被充電物に出力して、使用に供することを特徴とする電子装置。
【請求項１０】
前記パワーバンクは、相互に組立てて固定する第一、第二ハウジング及び電池本体を備え、
前記電池本体は、前記第一、第二ハウジングの間に位置することを特徴とする請求項９に記載の電子装置の設置台。
【請求項１１】
前記本体は、相対する２個の長辺、及び相対する２個の短辺を備え、
前記各長辺間は、前記短辺により相互に連接し、
取り囲んで、前記第一、第二結合面を形成する各長辺には共に、少なくとも１個のカバー体を備え、
前記各短辺には共に、少なくとも１個のカバー体を備えることを特徴とする請求項１０に記載の電子装置の設置台。
【請求項１２】
前記各カバー体は、前記第二結合面において、前記第一結合面から離れて連接部を延伸し、
前記連接部から、前記第二結合面内へと向い、唇部を延伸することを特徴とする請求項１１に記載の電子装置の設置台。
【請求項１３】
前記第一ハウジングは、前記第二結合面外側に位置し、前記第一ハウジング周囲には、カバー部を結合させることができる係合槽を設置し、これに前記唇部を係合させて定位することを特徴とする請求項１２に記載の電子装置の設置台。
【請求項１４】
前記第一ハウジングは、前記第二結合面外側に位置し、
前記第二ハウジング周囲には、前記カバー部を結合させることができる係合槽を設置し、これに前記唇部を係合させて定位することを特徴とする請求項１２に記載の電子装置の設置台。
【請求項１５】
前記出力ポートに、伝送アセンブリを挿入して接続し、
前記伝送アセンブリは、フレキシブル連接部、及び前記フレキシブル連接部の二端に位置する第一連接ポート及び第二連接ポートを備え、
前記第一連接ポートは、前記出力ポートに挿入して接続し、
前記第二連接ポートは、被充電物を挿入して接続し使用に供することを特徴とする請求項９〜１４の任意の一項に記載の電子装置の設置台。
【請求項１６】
前記被充電物は、前記吸着パーツの第一結合面に、結合して固定され、
前記フレキシブル連接部は、弧状を呈し、これにより前記第一、第二連接ポートは、前記設置台の第一、第二結合面の両外側に位置することを特徴とする請求項１５に記載の電子装置の設置台。
【請求項１７】
前記パワーバンクはさらに、電力量表示構造を備えることを特徴とする請求項９〜１４の任意の一項に記載の電子装置の設置台。
【考案の詳細な説明】
【技術分野】
【０００１】
本考案は電子装置の設置台に関し、特に電子装置の充電或いは機能拡張に応用し、携帯に便利である等の効果をも備える設置台に関する。
【背景技術】
【０００２】
電子技術の発展で、民生用電子製品は人々の日常生活に急速に普及している。
携帯電話端末、デジタルカメラ、PDA、ノート型コンピューター或いはMP3等の小型電子製品は、軽量でコンパクトであることが要求される他、持ち歩いて使用するため、電池を使用することも必要である。
電池においては、環境に配慮し、充電電池が使用されるようになっている。
充電電池は一般にはニッケルカドミウム電池、ニッケル水素電池及びリチウム電池が用いられるが、いずれにしろ充電電池は、充電装置を使用して充電を行う必要がある。
【０００３】
図１に示すように、従来の充電装置は、充電台11及び電池12を備える。
充電台11内部には、充電回路 13を設置する。
充電回路13は、プラグ14及び出力端子15と相互に連接する。
プラグ14及び出力端子15は、充電台11の外部に設置する。
電池12は、電子製品16の内部に設置する。
電池12は、入力端子17と相互に連接する。
入力端子17は、電子製品16 の外部に設置する。
【０００４】
上述の構造において、従来の充電装置中のプラグ14は、電源を提供することができるコンセント内に挿入する。
これにより、コンセントの交流電力は、充電回路13内に入り、充電回路13は、交流電力を直流電力に転換し、直流電力を出力端子15に導入する。
電子製品16内部の電池12 の電力が尽きると、出力端子15と電子製品2 の入力端子 17とを相互に連接し、出力端子15と入力端子17の連接により、直流電力を電池12 内に引き入れ、電池12に充電する。
【０００５】
しかし、市内電源が提供する電源からの充電装置であろうと、ポータブル充電装置(例えば、パワーバンク)であろうと、それと電子製品とは、それぞれ別の２個の個体であるため、携帯の利便性という点では、理想的でない。
本考案は、従来の電子装置の充電装置の上記した欠点に鑑みてなされたものである。
【考案の概要】
【考案が解決しようとする課題】
【０００６】
本考案が解決しようとする課題は、電子装置の充電或いは機能拡張に応用し、携帯に便利である等の効果をも備える設置台を提供することである。
【課題を解決するための手段】
【０００７】
上記課題を解決するため、本考案は下記の電子装置の設置台を提供する。
電子装置の設置台は、フレキシブル材質で製造する本体を設置し、
該本体は、相対する第一、第二結合面を備え、
該本体の第一結合面には、少なくとも１個の吸着パーツを形成し、第二結合面周囲には、少なくとも２個のカバー体を備える。
該カバー体により、パワーバンクを、該第二結合面に組み立てて定位し、充電機能を備え、しかも携帯に便利な電子装置を形成し、
該吸着パーツにより、被充電物を、該第一結合面に、結合して固定し、パワーバンクの電力を被充電物に出力して使用に供し、携帯する体積を減らし、しかも実用性を拡大することができる。
【考案の効果】
【０００８】
本考案の電子装置の設置台は、電子装置の充電或いは機能拡張に応用し、携帯に便利である等の効果をも備える。
【図面の簡単な説明】
【０００９】
【図１】従来の充電装置のブロックチャートである。
【図２】本考案による設置台の構造立体図である。
【図３】本考案による設置台の底部構造立体図である。
【図４】本考案による設置台の構造断面図である。
【図５Ａ】本考案による設置台の別種の構造断面図である。
【図５Ｂ】本考案による設置台の別種の構造断面図である。
【図６】本考案における電子装置の構造立体図である。
【図７】本考案における電子装置の構造分解図である。
【図８】本考案に電子装置を組立てた構造断面図である。
【図９】本考案に電子装置の組立てを完成した状態の構造断面図である。
【図１０】本考案における電子装置の別種の組立て構造断面図である。
【図１１】本考案による電子装置への充電使用の構造分解図である。
【図１２】本考案による電子装置への充電使用の構造断面図である。
【図１３】本考案による電子装置への充電使用の別種の構造分解図である。
【考案を実施するための形態】
【００１０】
以下に図面を参照しながら本考案を実施するための最良の形態について詳細に説明する。
【実施例】
【００１１】
図２は、本考案による設置台の構造立体図で、図３は、本考案による設置台の底部構造立体図である。
図に示すように、本考案の設置台2には、フレキシブル材質で製造する本体21を設置する。
フレキシブル材質は、ゴム、ポリウレタン(Polyurethane、PU)或いは感温材料である。
【００１２】
本体21は、相対する第一、第二結合面211、212を備える。
図示の実施形態において、本体21は、相対する２個の長辺213、及び相対する２個の短辺214を備える。
各長辺213間は、短辺214により相互に連接し、取り囲んで、第一、第二結合面211、212を形成する。
【００１３】
本体21の第一結合面211には、少なくとも１個の吸着パーツ22を形成する。
吸着パーツ22は、吸盤である。
【００１４】
第二結合面212周囲には、少なくとも２個のカバー体23を備える。
各長辺213は共に、少なくとも１個のカバー体23を備え、各短辺214は共に、少なくとも１個のカバー体23を備える。
各カバー体23間には、開放性開口を形成し、これに被カバー物をセットすることができ、しかも長辺213及び短辺214に設置するカバー体23を利用し、より堅固な固定効果を形成することができる。
【００１５】
図４に示すように、吸着パーツ22は、本体21と一体成型し、或いは本体21と吸着パーツ22は、相互に組立てて定位することができる。
図５(A)に示すように、本体21には、固定柱241を設置する。
固定柱241は、第一結合面211に突出する。
吸着パーツ22には、嵌合部221、及び嵌合部221片側から延伸する吸着部222を設置する。
嵌合部221は、凹槽の構造形式である。
吸着パーツ22は、嵌合部221により固定柱241上に嵌合する。
吸着部222は、本体の第一結合面211に露出する。
これにより、各吸着パーツ22は、本体21上に選択的に固定される。
【００１６】
図５(B)に示すように、本体21には、固定孔242を設置する。
固定孔242は、本体の第一、第二結合面211、212を貫通する。
吸着パーツ22には、嵌合部221、及び嵌合部221片側から延伸する吸着部222を設置する。
嵌合部221は、柱状体の構造形式である。
嵌合部221は、吸着部222から離れた一端に、係合固定部223を形成する。
係合固定部223は、固定孔242の孔径より大きい。
吸着パーツ22は、嵌合部221より、固定孔242内に通して設置し、係合固定部223を利用し、固定孔242外に係合して固定する。
吸着部222は、本体の第一結合面211外に露出する。 
【００１７】
図４に示すように、各カバー体23は、第二結合面212において、第一結合面211から離れて連接部231を延伸する。
連接部231から、第二結合面212内へと向い、唇部232を延伸する。
各カバー体23は、パワーバンク3を結合し、充電機能を備えた電子装置を形成する。
【００１８】
図６及び図７に示すように、パワーバンク3は、相互に組立てて固定する第一、第二ハウジング31、32及び電池本体33を備える。
電池本体33は、第一、第二ハウジング31、32の間に位置する。
パワーバンク3は、入力ポート34及び少なくとも１個の出力ポート35を備える。
入力ポート34により、パワーバンク3に対して電力の貯蔵を行う。
出力ポート35は、パワーバンク3の電力を、少なくとも１個の被充電物に出力して、使用に供する。
【００１９】
組立て時には、図８に示すように、第一ハウジング31は、第二結合面212外側に位置する。
第一ハウジング31周囲には、カバー部23を結合させることができる係合槽311を設置し、各係合槽311は、各唇部232と相互に係合して定位する。
電池本体33を、第一ハウジング31内に設置し、第二ハウジング32と第一ハウジング31とを、相互に組立てる。
【００２０】
図９に示すように、第一ハウジング31周囲には、少なくとも１個の第一定位部312(凹槽構造等)に形成する。
第二ハウジング32には、相対する少なくとも１個の第二定位部321(突出体構造等)を設置する。
第一、第二定位部312、321を相互に係合して固定する動作により、第二ハウジング32は、第一ハウジング31に結合して固定され、パワーバンク3は、設置台の第二結合面212に結合して固定される。
【００２１】
当然、その組立て構造は、図１０に示す別種の実施形態とすることもできる。
図１０に示す別種の実施形態では、第一ハウジング31は、第二結合面212外側に位置する。
第二ハウジング32周囲には、カバー部23を結合させることができる係合槽322を設置し、これに唇部232を係合させて定位する。
【００２２】
パワーバンク3の電力出力使用時には、図１１及び図１２に示すように、パワーバンク3の出力ポート35に、伝送アセンブリ4を挿入して接続する。
伝送アセンブリ4は、フレキシブル連接部41、及びフレキシブル連接部41の二端に位置する第一連接ポート42及び第二連接ポート43を備える。
フレキシブル連接部41は、弧状を呈し、これにより第一、第二連接ポート42、43は、設置台の第一、第二結合面211、212の両外側に位置する。
【００２３】
使用時には、被充電物5（携帯電話端末或いはPDA等ポータブル電子装置或いはノート型コンピューター等）は、吸着パーツ22により、第一結合面211に、結合して固定される。
第一連接ポート42を、第二結合面212外の出力ポート35に挿入して接続する。
二連接ポート43は、第一結合面211外の被充電物5に挿入して接続し、
パワーバンク3は、伝送アセンブリ4を通して、電力を、被充電物5へ伝送し、充電を行う。
当然、パワーバンクにはさらに、電力量表示構造を設置し、残余電力量を表示することができる。
【００２４】
図１３に示すように、パワーバンク3には、複数の出力ポート35を設置することができ、伝送アセンブリ4により、電力を、複数の被充電物5に提供して、使用に供する。
当然、設置台3には、少なくとも１個の拡張モジュール及びポータブル製品（携帯電話端末、或いはPDA等ポータブル電子装置、或いはノート型コンピューター等）を設置し、相互に結合することができる。
拡張モジュールは、伝送アセンブリを通して、ポータブル製品に挿入して接続し、電気的連接を形成する。
こうして、ポータブル製品は、それそのものが持つ機能の他に、GPS機能、録画機能、デジタルAV再生機能、無線通信機能、ラジオ電波受信機能等の拡張モジュールが提供する機能を備えることができる。
【００２５】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２６】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２７】
２      設置台
２１    本体
２１１  第一結合面
２１２  第二結合面
２１３  長辺
２１４  短辺
２２    吸着パーツ
２２１  嵌合部
２２２  吸着部
２２３  係合固定部
２３    カバー体
２３１  接部
２３２  唇部
２４１  固定柱
２４２  固定孔
３      パワーバンク
３１    第一ハウジング
３１１  係合槽
３１２  第一定位部
３２    第二ハウジング
３２１  第二定位部
３２２  係合槽
３３    電池本体
３４    入力ポート
３５    出力ポート
４      伝送アセンブリ
４１    フレキシブル連接部
４２    第一連接ポート
４３    第二連接ポート
５      被充電物
【図１】
0003190865.tif 000003
【図２】
0003190865.tif 000004
【図３】
0003190865.tif 000005
【図４】
0003190865.tif 000006
【図５Ａ】
0003190865.tif 000007
【図５Ｂ】
0003190865.tif 000008
【図６】
0003190865.tif 000009
【図７】
0003190865.tif 000010
【図８】
0003190865.tif 000011
【図９】
0003190865.tif 000012
【図１０】
0003190865.tif 000013
【図１１】
0003190865.tif 000014
【図１２】
0003190865.tif 000015
【図１３】
0003190865.tif 000016
【手続補正書】
【提出日】平成26年3月20日(2014.3.20)
【手続補正１】
【補正対象書類名】実用新案登録請求の範囲
【補正対象項目名】全文
【補正方法】変更
【補正の内容】
【実用新案登録請求の範囲】
【請求項１】
電子装置の設置台には、フレキシブル材質で製造する本体を設置し、
前記本体は、相対する第一、第二結合面を備え、前記本体の第一結合面には、少なくとも１個の吸着パーツを形成し、前記第二結合面周囲には、少なくとも２個のカバー体を備えることを特徴とする電子装置の設置台。
【請求項２】
前記本体は、相対する２個の長辺、及び相対する２個の短辺を備え、
前記各長辺間は、前記短辺により相互に連接し、
取り囲んで前記第一、第二結合面を形成する各長辺には共に、少なくとも１個のカバー体を備え、前記各短辺には共に、少なくとも１個のカバー体を備えることを特徴とする請求項１に記載の電子装置の設置台。
【請求項３】
前記各カバー体は、前記第二結合面において、前記第一結合面から離れて連接部を延伸し、
前記連接部から、前記第二結合面内へと向い、唇部を延伸することを特徴とする請求項１或いは２に記載の電子装置の設置台。
【請求項４】
前記吸着パーツと前記本体とは、一体に成型することを特徴とする請求項３に記載の電子装置の設置台。
【請求項５】
前記本体と前記吸着パーツとは、相互に組立てて定位することを特徴とする請求項３に記載の電子装置の設置台。
【請求項６】
前記本体には、固定孔を設置し、
前記固定孔は、前記本体の第一、第二結合面を貫通し、
前記吸着パーツには、嵌合部、及び前記嵌合部片側から延伸する吸着部を設置し、前記吸着パーツは、前記嵌合部より、前記固定孔内に通して設置し、前記吸着部は、前記本体の第一結合面外に露出することを特徴とする請求項５に記載の電子装置の設置台。
【請求項７】
前記嵌合部は、前記吸着部から離れた一端に、係合固定部を形成し、
前記係合固定部は、前記固定孔の孔径より大きく、前記固定孔外に係合して固定されることを特徴とする請求項６に記載の電子装置の設置台。
【請求項８】
前記本体には、固定柱を設置し、
前記固定柱は、前記第一結合面に突出し、
前記吸着パーツには、嵌合部、及び前記嵌合部片側から延伸する吸着部を設置し、前記吸着パーツは、前記嵌合部により前記固定柱上に嵌合し、前記吸着部は、前記本体の第一結合面外に露出することを特徴とする請求項５に記載の電子装置の設置台。
【請求項９】
電子装置は、少なくとも設置台、モバイルバッテリーを備え、
前記設置台には、フレキシブル材質で製造する本体を設置し、前記本体は、相対する第一、第二結合面を備え、前記本体の第一結合面には、少なくとも１個の吸着パーツを形成し、前記第二結合面周囲には、少なくとも２個のカバー体を備え、
前記モバイルバッテリーは、前記第二結合面に組み立てて定位し、前記モバイルバッテリー周囲には、前記カバー体を組立てて定位する係合槽を設置し、しかも前記モバイルバッテリーは、入力ポート及び少なくとも１個の出力ポートを備え、こうして前記モバイルバッテリーの電力を、少なくとも１個の被充電物に出力して、使用に供することを特徴とする電子装置。
【請求項１０】
前記モバイルバッテリーは、相互に組立てて固定する第一、第二ハウジング及び電池本体を備え、
前記電池本体は、前記第一、第二ハウジングの間に位置することを特徴とする請求項９に記載の電子装置。
【請求項１１】
前記本体は、相対する２個の長辺、及び相対する２個の短辺を備え、
前記各長辺間は、前記短辺により相互に連接し、
取り囲んで、前記第一、第二結合面を形成する各長辺には共に、少なくとも１個のカバー体を備え、
前記各短辺には共に、少なくとも１個のカバー体を備えることを特徴とする請求項１０に記載の電子装置。
【請求項１２】
前記各カバー体は、前記第二結合面において、前記第一結合面から離れて連接部を延伸し、
前記連接部から、前記第二結合面内へと向い、唇部を延伸することを特徴とする請求項１１に記載の電子装置。
【請求項１３】
前記第一ハウジングは、前記第二結合面外側に位置し、前記第一ハウジング周囲には、カバー部を結合させることができる係合槽を設置し、これに前記唇部を係合させて定位することを特徴とする請求項１２に記載の電子装置。
【請求項１４】
前記第一ハウジングは、前記第二結合面外側に位置し、
前記第二ハウジング周囲には、前記カバー部を結合させることができる係合槽を設置し、
これに前記唇部を係合させて定位することを特徴とする請求項１２に記載の電子装置。
【請求項１５】
前記出力ポートに、伝送アセンブリを挿入して接続し、
前記伝送アセンブリは、フレキシブル連接部、及び前記フレキシブル連接部の二端に位置する第一連接ポート及び第二連接ポートを備え、
前記第一連接ポートは、前記出力ポートに挿入して接続し、
前記第二連接ポートは、被充電物を挿入して接続し使用に供することを特徴とする請求項９〜１４の任意の一項に記載の電子装置。
【請求項１６】
前記被充電物は、前記吸着パーツの第一結合面に、結合して固定され、
前記フレキシブル連接部は、弧状を呈し、これにより前記第一、第二連接ポートは、前記設置台の第一、第二結合面の両外側に位置することを特徴とする請求項１５に記載の電子装置。
【請求項１７】
前記モバイルバッテリーはさらに、電力量表示構造を備えることを特徴とする請求項９〜１４の任意の一項に記載の電子装置。
【手続補正２】
【補正対象書類名】明細書
【補正対象項目名】全文
【補正方法】変更
【補正の内容】
【考案の詳細な説明】
【技術分野】
【０００１】
本考案は電子装置の設置台に関し、特に電子装置の充電或いは機能拡張に応用し、携帯に便利である等の効果をも備える設置台に関する。
【背景技術】
【０００２】
電子技術の発展で、民生用電子製品は人々の日常生活に急速に普及している。
携帯電話端末、デジタルカメラ、PDA、ノート型コンピューター或いはMP3等の小型電子製品は、軽量でコンパクトであることが要求される他、持ち歩いて使用するため、電池を使用することも必要である。
電池においては、環境に配慮し、充電電池が使用されるようになっている。
充電電池は一般にはニッケルカドミウム電池、ニッケル水素電池及びリチウム電池が用いられるが、いずれにしろ充電電池は、充電装置を使用して充電を行う必要がある。
【０００３】
図１に示すように、従来の充電装置は、充電台11及び電池12を備える。
充電台11内部には、充電回路 13を設置する。
充電回路13は、プラグ14及び出力端子15と相互に連接する。
プラグ14及び出力端子15は、充電台11の外部に設置する。
電池12は、電子製品16の内部に設置する。
電池12は、入力端子17と相互に連接する。
入力端子17は、電子製品16 の外部に設置する。
【０００４】
上述の構造において、従来の充電装置中のプラグ14は、電源を提供することができるコンセント内に挿入する。
これにより、コンセントの交流電力は、充電回路13内に入り、充電回路13は、交流電力を直流電力に転換し、直流電力を出力端子15に導入する。
電子製品16内部の電池12 の電力が尽きると、出力端子15と電子製品2 の入力端子 17とを相互に連接し、出力端子15と入力端子17の連接により、直流電力を電池12 内に引き入れ、電池12に充電する。
【０００５】
しかし、市内電源が提供する電源からの充電装置であろうと、ポータブル充電装置(例えば、モバイルバッテリー)であろうと、それと電子製品とは、それぞれ別の２個の個体であるため、携帯の利便性という点では、理想的でない。
本考案は、従来の電子装置の充電装置の上記した欠点に鑑みてなされたものである。
【考案の概要】
【考案が解決しようとする課題】
【０００６】
本考案が解決しようとする課題は、電子装置の充電或いは機能拡張に応用し、携帯に便利である等の効果をも備える設置台を提供することである。
【課題を解決するための手段】
【０００７】
上記課題を解決するため、本考案は下記の電子装置の設置台を提供する。
電子装置の設置台は、フレキシブル材質で製造する本体を設置し、
該本体は、相対する第一、第二結合面を備え、
該本体の第一結合面には、少なくとも１個の吸着パーツを形成し、第二結合面周囲には、少なくとも２個のカバー体を備える。
該カバー体により、モバイルバッテリーを、該第二結合面に組み立てて定位し、充電機能を備え、しかも携帯に便利な電子装置を形成し、
該吸着パーツにより、被充電物を、該第一結合面に、結合して固定し、モバイルバッテリーの電力を被充電物に出力して使用に供し、携帯する体積を減らし、しかも実用性を拡大することができる。
【考案の効果】
【０００８】
本考案の電子装置の設置台は、電子装置の充電或いは機能拡張に応用し、携帯に便利である等の効果をも備える。
【図面の簡単な説明】
【０００９】
【図１】従来の充電装置のブロックチャートである。
【図２】本考案による設置台の構造立体図である。
【図３】本考案による設置台の底部構造立体図である。
【図４】本考案による設置台の構造断面図である。
【図５Ａ】本考案による設置台の別種の構造断面図である。
【図５Ｂ】本考案による設置台の別種の構造断面図である。
【図６】本考案における電子装置の構造立体図である。
【図７】本考案における電子装置の構造分解図である。
【図８】本考案に電子装置を組立てた構造断面図である。
【図９】本考案に電子装置の組立てを完成した状態の構造断面図である。
【図１０】本考案における電子装置の別種の組立て構造断面図である。
【図１１】本考案による電子装置への充電使用の構造分解図である。
【図１２】本考案による電子装置への充電使用の構造断面図である。
【図１３】本考案による電子装置への充電使用の別種の構造分解図である。
【考案を実施するための形態】
【００１０】
以下に図面を参照しながら本考案を実施するための最良の形態について詳細に説明する。
【実施例】
【００１１】
図２は、本考案による設置台の構造立体図で、図３は、本考案による設置台の底部構造立体図である。
図に示すように、本考案の設置台2には、フレキシブル材質で製造する本体21を設置する。
フレキシブル材質は、ゴム、ポリウレタン(Polyurethane、PU)或いは感温材料である。
【００１２】
本体21は、相対する第一、第二結合面211、212を備える。
図示の実施形態において、本体21は、相対する２個の長辺213、及び相対する２個の短辺214を備える。
各長辺213間は、短辺214により相互に連接し、取り囲んで、第一、第二結合面211、212を形成する。
【００１３】
本体21の第一結合面211には、少なくとも１個の吸着パーツ22を形成する。
吸着パーツ22は、吸盤である。
【００１４】
第二結合面212周囲には、少なくとも２個のカバー体23を備える。
各長辺213は共に、少なくとも１個のカバー体23を備え、各短辺214は共に、少なくとも１個のカバー体23を備える。
各カバー体23間には、開放性開口を形成し、これに被カバー物をセットすることができ、しかも長辺213及び短辺214に設置するカバー体23を利用し、より堅固な固定効果を形成することができる。
【００１５】
図４に示すように、吸着パーツ22は、本体21と一体成型し、或いは本体21と吸着パーツ22は、相互に組立てて定位することができる。
図５(A)に示すように、本体21には、固定柱241を設置する。
固定柱241は、第一結合面211に突出する。
吸着パーツ22には、嵌合部221、及び嵌合部221片側から延伸する吸着部222を設置する。
嵌合部221は、凹槽の構造形式である。
吸着パーツ22は、嵌合部221により固定柱241上に嵌合する。
吸着部222は、本体の第一結合面211に露出する。
これにより、各吸着パーツ22は、本体21上に選択的に固定される。
【００１６】
図５(B)に示すように、本体21には、固定孔242を設置する。
固定孔242は、本体の第一、第二結合面211、212を貫通する。
吸着パーツ22には、嵌合部221、及び嵌合部221片側から延伸する吸着部222を設置する。
嵌合部221は、柱状体の構造形式である。
嵌合部221は、吸着部222から離れた一端に、係合固定部223を形成する。
係合固定部223は、固定孔242の孔径より大きい。
吸着パーツ22は、嵌合部221より、固定孔242内に通して設置し、係合固定部223を利用し、固定孔242外に係合して固定する。
吸着部222は、本体の第一結合面211外に露出する。 
【００１７】
図４に示すように、各カバー体23は、第二結合面212において、第一結合面211から離れて連接部231を延伸する。
連接部231から、第二結合面212内へと向い、唇部232を延伸する。
各カバー体23は、モバイルバッテリー3を結合し、充電機能を備えた電子装置を形成する。
【００１８】
図６及び図７に示すように、モバイルバッテリー3は、相互に組立てて固定する第一、第二ハウジング31、32及び電池本体33を備える。
電池本体33は、第一、第二ハウジング31、32の間に位置する。
モバイルバッテリー3は、入力ポート34及び少なくとも１個の出力ポート35を備える。
入力ポート34により、モバイルバッテリー3に対して電力の貯蔵を行う。
出力ポート35は、モバイルバッテリー3の電力を、少なくとも１個の被充電物に出力して、使用に供する。
【００１９】
組立て時には、図８に示すように、第一ハウジング31は、第二結合面212外側に位置する。
第一ハウジング31周囲には、カバー部23を結合させることができる係合槽311を設置し、
各係合槽311は、各唇部232と相互に係合して定位する。
電池本体33を、第一ハウジング31内に設置し、第二ハウジング32と第一ハウジング31とを、相互に組立てる。
【００２０】
図９に示すように、第一ハウジング31周囲には、少なくとも１個の第一定位部312(凹槽構造等)に形成する。
第二ハウジング32には、相対する少なくとも１個の第二定位部321(突出体構造等)を設置する。
第一、第二定位部312、321を相互に係合して固定する動作により、第二ハウジング32は、第一ハウジング31に結合して固定され、モバイルバッテリー3は、設置台の第二結合面212に結合して固定される。
【００２１】
当然、その組立て構造は、図１０に示す別種の実施形態とすることもできる。
図１０に示す別種の実施形態では、第一ハウジング31は、第二結合面212外側に位置する。
第二ハウジング32周囲には、カバー部23を結合させることができる係合槽322を設置し、これに唇部232を係合させて定位する。
【００２２】
モバイルバッテリー3の電力出力使用時には、図１１及び図１２に示すように、モバイルバッテリー3の出力ポート35に、伝送アセンブリ4を挿入して接続する。
伝送アセンブリ4は、フレキシブル連接部41、及びフレキシブル連接部41の二端に位置する第一連接ポート42及び第二連接ポート43を備える。
フレキシブル連接部41は、弧状を呈し、これにより第一、第二連接ポート42、43は、設置台の第一、第二結合面211、212の両外側に位置する。
【００２３】
使用時には、被充電物5（携帯電話端末或いはPDA等ポータブル電子装置或いはノート型コンピューター等）は、吸着パーツ22により、第一結合面211に、結合して固定される。
第一連接ポート42を、第二結合面212外の出力ポート35に挿入して接続する。
二連接ポート43は、第一結合面211外の被充電物5に挿入して接続し、
モバイルバッテリー3は、伝送アセンブリ4を通して、電力を、被充電物5へ伝送し、充電を行う。
当然、モバイルバッテリーにはさらに、電力量表示構造を設置し、残余電力量を表示することができる。
【００２４】
図１３に示すように、モバイルバッテリー3には、複数の出力ポート35を設置することができ、伝送アセンブリ4により、電力を、複数の被充電物5に提供して、使用に供する。
当然、設置台3には、少なくとも１個の拡張モジュール及びポータブル製品（携帯電話端末、或いはPDA等ポータブル電子装置、或いはノート型コンピューター等）を設置し、相互に結合することができる。
拡張モジュールは、伝送アセンブリを通して、ポータブル製品に挿入して接続し、電気的連接を形成する。
こうして、ポータブル製品は、それそのものが持つ機能の他に、GPS機能、録画機能、デジタルAV再生機能、無線通信機能、ラジオ電波受信機能等の拡張モジュールが提供する機能を備えることができる。
【００２５】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２６】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２７】
２      設置台
２１    本体
２１１  第一結合面
２１２  第二結合面
２１３  長辺
２１４  短辺
２２    吸着パーツ
２２１  嵌合部
２２２  吸着部
２２３  係合固定部
２３    カバー体
２３１  接部
２３２  唇部
２４１  固定柱
２４２  固定孔
３      モバイルバッテリー
３１    第一ハウジング
３１１  係合槽
３１２  第一定位部
３２    第二ハウジング
３２１  第二定位部
３２２  係合槽
３３    電池本体
３４    入力ポート
３５    出力ポート
４      伝送アセンブリ
４１    フレキシブル連接部
４２    第一連接ポート
４３    第二連接ポート
５      被充電物